(57)【要約】【課題】表示領域が異形の外形形状を有し、額縁領域に検査用トランジスタ及び検査用配線が配置された表示パネルにおいて、額縁領域の面積を縮小するとともに表示パネルの検査を確実に行う。【解決手段】異形の外形形状を有する表示領域と、複数のゲート線と、複数のデータ線と、複数のゲート線及び複数のデータ線に接続された複数の第１及び第２検査用トランジスタと、第１及び第２検査用トランジスタをオン又はオフする制御信号を供給する検査用制御信号供給配線と、を含み、複数の第１及び第２検査用トランジスタは、それぞれ、表示領域の異形の部分に対応する領域において一直線に配列されておらず、検査用制御信号供給配線は、複数の第１検査用トランジスタの制御電極に接続される第１検査用制御信号供給配線と、第１検査用制御信号供給配線から分岐し、複数の第２検査用トランジスタの制御電極に接続される第２検査用制御信号供給配線と、を含む。【選択図】図５
2016218216.tif 000002
【特許請求の範囲】
【請求項１】
異形の外形形状を有する表示領域と、
行方向に延在する複数のゲート線と、
列方向に延在する複数のデータ線と、
前記複数のゲート線に接続された複数の第１検査用トランジスタと、
前記複数のデータ線に接続された複数の第２検査用トランジスタと、
前記複数の第１及び第２検査用トランジスタをオン又はオフする制御信号を供給する検査用制御信号供給配線と、
を含み、
前記複数の第１及び第２検査用トランジスタは、それぞれ、前記表示領域の異形の部分に対応する領域において一直線に配列されておらず、
前記検査用制御信号供給配線は、前記複数の第１検査用トランジスタの制御電極に接続される第１検査用制御信号供給配線と、前記第１検査用制御信号供給配線から分岐し、前記複数の第２検査用トランジスタの制御電極に接続される第２検査用制御信号供給配線と、を含む、
ことを特徴とする表示パネル。
【請求項２】
前記表示領域の異形の部分に対応する領域において、
前記データ線が前記ゲート線よりも長い場合は、前記複数の第２検査用トランジスタが、前記複数の第１検査用トランジスタよりも外側に配置され、
前記ゲート線が前記データ線よりも長い場合は、前記複数の第１検査用トランジスタが、前記複数の第２検査用トランジスタよりも外側に配置される、
ことを特徴とする請求項１に記載の表示パネル。
【請求項３】
前記第２検査用制御信号供給配線は、前記第１検査用制御信号供給配線よりも外側に配置されている、
ことを特徴とする請求項２に記載の表示パネル。
【請求項４】
前記第１検査用制御信号供給配線は、前記第２検査用制御信号供給配線よりも外側に配置されている、
ことを特徴とする請求項２に記載の表示パネル。
【請求項５】
前記第１検査用制御信号供給配線及び前記第２検査用制御信号供給配線の分岐点は、前記複数のゲート線のうち前記表示領域の最端部側に配置される第１ゲート線よりも外側に位置している、
ことを特徴とする請求項１に記載の表示パネル。
【請求項６】
前記第１検査用制御信号供給配線及び前記第２検査用制御信号供給配線の分岐点は、前記複数のゲート線のうち前記表示領域の最端部側に配置される第１ゲート線よりも外側に配置される前記複数の第２検査用トランジスタのうち前記第１ゲート線に最も近い第２検査用トランジスタと、前記第１ゲート線との間に位置している、
ことを特徴とする請求項１に記載の表示パネル。
【請求項７】
前記複数の第２検査用トランジスタは、複数個ずつグループに束ねられており、各グループ内において、複数個の第２検査用トランジスタは、行方向に一列に配置されており、
前記複数の第２検査用トランジスタの複数のグループは、前記表示領域の異形の部分に対応する領域において一直線に配列されていない、
ことを特徴とする請求項３に記載の表示パネル。
【請求項８】
前記複数の第１検査用トランジスタは、複数個ずつグループに束ねられており、各グループ内において、複数個の第１検査用トランジスタは、列方向に一列に配置されており、
前記複数の第１検査用トランジスタの複数のグループは、前記表示領域の異形の部分に対応する領域において一直線に配列されていない、
ことを特徴とする請求項４に記載の表示パネル。
【請求項９】
前記複数の第２検査用トランジスタの複数のグループは、それぞれ、隣り合う２本の前記ゲート線の間に配置されている、
ことを特徴とする請求項７に記載の表示パネル。
【請求項１０】
前記複数の第１検査用トランジスタの複数のグループは、それぞれ、隣り合う２本の前記データ線の間に配置されている、
ことを特徴とする請求項８に記載の表示パネル。
【請求項１１】
前記第１検査用制御信号供給配線と前記第２検査用制御信号供給配線の分岐点は、前記表示領域の行方向の中心線上に位置している、
ことを特徴とする請求項１に記載の表示パネル。
【請求項１２】
前記複数の第１及び第２検査用トランジスタをオフ状態に固定するオフ電圧を、前記複数の第１及び第２検査用トランジスタの制御電極に供給するオフ電圧伝送配線を含み、
前記オフ電圧伝送配線は、前記第１検査用制御信号供給配線に電気的に接続されている、
ことを特徴とする請求項１に記載の表示パネル。
【請求項１３】
前記オフ電圧伝送配線及び前記第１検査用制御信号供給配線の接続点と、前記第１検査用制御信号供給配線及び前記第２検査用制御信号供給配線の分岐点とは、前記表示領域における行方向に対称の位置に配置されている、
ことを特徴とする請求項１２に記載の表示パネル。
【請求項１４】
前記オフ電圧伝送配線及び前記第１検査用制御信号供給配線の接続点と、前記第１検査用制御信号供給配線及び前記第２検査用制御信号供給配線の分岐点とは、同一の位置に配置されている、
ことを特徴とする請求項１２に記載の表示パネル。
【請求項１５】
異形の外形形状を有する表示領域と、
行方向に延在する複数のゲート線と、
列方向に延在する複数のデータ線と、
前記複数のゲート線に接続された複数の第１検査用トランジスタと、
前記複数のデータ線に接続された複数の第２検査用トランジスタと、
を含み、
前記表示領域の異形の部分に対応する領域において、前記複数の第１及び第２検査用トランジスタのうち一方の複数の検査用トランジスタが他方の複数の検査用トランジスタよりも外側に配置されており、前記他方の複数の検査用トランジスタの少なくとも１つは、前記一方の複数の検査用トランジスタに接続された前記複数のゲート線又は前記複数のデータ線における隣り合う２本の配線の間に配置されている、
ことを特徴とする表示パネル。
【請求項１６】
前記表示領域の異形の部分に対応する領域において、
前記データ線が前記ゲート線よりも長い場合は、前記複数の第２検査用トランジスタが、前記複数の第１検査用トランジスタよりも外側に配置され、
前記ゲート線が前記データ線よりも長い場合は、前記複数の第１検査用トランジスタが、前記複数の第２検査用トランジスタよりも外側に配置される、
ことを特徴とする請求項１５に記載の表示パネル。
【発明の詳細な説明】
【技術分野】
【０００１】
本発明は、表示パネルに関し、特に、異形の外形形状を有する表示パネルに関する。
【背景技術】
【０００２】
近年、液晶パネル等の表示パネルは、例えば車両の計器類を表示するパネル（インストルメントパネル）等、様々な用途に用いられている。このような用途の多様化に伴い、外形形状が矩形状とは異なる異形状の表示パネル（あるいは表示領域）が提案されている。異形の外形形状を有する表示パネルとしては、例えば、四隅の角部のうち少なくとも一箇所が円弧状を有する表示パネルや、全体として台形状、楕円状、円状、又は多角形状を有する表示パネルが挙げられる。特許文献１には、異形の外形形状を有する表示パネルが開示されている。
【０００３】
一方、従来、ゲート線やデータ線等の配線の欠陥を検出するための構成を備える表示パネルが提案されている。例えば、表示パネルに、ゲート線及びデータ線に接続された複数の検査用トランジスタが設けられており、表示パネルの検査工程において、検査用トランジスタをオンして検査用信号（検査用ゲート信号、検査用データ信号）を入力し、対応する画素の点灯状態に基づき配線の断線等を検出する。
【先行技術文献】
【特許文献】
【０００４】
【特許文献１】特開２００８−２１６８９４号公報
【発明の概要】
【発明が解決しようとする課題】
【０００５】
一般的に、検査用トランジスタ及び検査用信号を供給する検査用配線は、表示領域の周囲の額縁領域に配置される。このため、上記検査を行うための構成を備える表示パネルでは、額縁領域が大きくなるという問題ある。特に、異形の外形形状を有する表示パネルに上記検査を行うための構成を採用した場合、検査用トランジスタや検査用配線の配置が複雑になるため、額縁領域が大きくなるばかりでなく、例えば検査用配線同士が接触し正確な検査ができなくなるという問題も生じる。
【０００６】
本発明は、上記問題点に鑑みてなされたものであり、その目的は、表示領域が異形の外形形状を有し、額縁領域に検査用トランジスタ及び検査用配線が配置された表示パネルにおいて、額縁領域の面積を縮小するとともに表示パネルの検査を確実に行うことができる表示パネルを提供することにある。
【課題を解決するための手段】
【０００７】
上記課題を解決するために、本発明に係る表示パネルは、異形の外形形状を有する表示領域と、行方向に延在する複数のゲート線と、列方向に延在する複数のデータ線と、前記複数のゲート線に接続された複数の第１検査用トランジスタと、前記複数のデータ線に接続された複数の第２検査用トランジスタと、前記複数の第１及び第２検査用トランジスタをオン又はオフする制御信号を供給する検査用制御信号供給配線と、を含み、前記複数の第１及び第２検査用トランジスタは、それぞれ、前記表示領域の異形の部分に対応する領域において一直線に配列されておらず、前記検査用制御信号供給配線は、前記複数の第１検査用トランジスタの制御電極に接続される第１検査用制御信号供給配線と、前記第１検査用制御信号供給配線から分岐し、前記複数の第２検査用トランジスタの制御電極に接続される第２検査用制御信号供給配線と、を含む、ことを特徴とする。
【０００８】
本発明に係る表示パネルでは、前記表示領域の異形の部分に対応する領域において、前記データ線が前記ゲート線よりも長い場合は、前記複数の第２検査用トランジスタが、前記複数の第１検査用トランジスタよりも外側に配置され、前記ゲート線が前記データ線よりも長い場合は、前記複数の第１検査用トランジスタが、前記複数の第２検査用トランジスタよりも外側に配置されてもよい。
【０００９】
本発明に係る表示パネルでは、前記第２検査用制御信号供給配線は、前記第１検査用制御信号供給配線よりも外側に配置されてもよい。
【００１０】
本発明に係る表示パネルでは、前記第１検査用制御信号供給配線は、前記第２検査用制御信号供給配線よりも外側に配置されてもよい。
【００１１】
本発明に係る表示パネルでは、前記第１検査用制御信号供給配線及び前記第２検査用制御信号供給配線の分岐点は、前記複数のゲート線のうち前記表示領域の最端部側に配置される第１ゲート線よりも外側に位置していてもよい。
【００１２】
本発明に係る表示パネルでは、前記第１検査用制御信号供給配線及び前記第２検査用制御信号供給配線の分岐点は、前記複数のゲート線のうち前記表示領域の最端部側に配置される第１ゲート線よりも外側に配置される前記複数の第２検査用トランジスタのうち前記第１ゲート線に最も近い第２検査用トランジスタと、前記第１ゲート線との間に位置していてもよい。
【００１３】
本発明に係る表示パネルでは、前記複数の第２検査用トランジスタは、複数個ずつグループに束ねられており、各グループ内において、複数個の第２検査用トランジスタは、行方向に一列に配置されており、前記複数の第２検査用トランジスタの複数のグループは、前記表示領域の異形の部分に対応する領域において一直線に配列されていなくてもよい。
【００１４】
本発明に係る表示パネルでは、前記複数の第１検査用トランジスタは、複数個ずつグループに束ねられており、各グループ内において、複数個の第１検査用トランジスタは、列方向に一列に配置されており、前記複数の第１検査用トランジスタの複数のグループは、前記表示領域の異形の部分に対応する領域において一直線に配列されていなくてもよい。
【００１５】
本発明に係る表示パネルでは、前記複数の第２検査用トランジスタの複数のグループは、それぞれ、隣り合う２本の前記ゲート線の間に配置されてもよい。
【００１６】
本発明に係る表示パネルでは、前記複数の第１検査用トランジスタの複数のグループは、それぞれ、隣り合う２本の前記データ線の間に配置されてもよい。
【００１７】
本発明に係る表示パネルでは、前記第１検査用制御信号供給配線と前記第２検査用制御信号供給配線の分岐点は、前記表示領域の行方向の中心線上に位置していてもよい。
【００１８】
本発明に係る表示パネルでは、前記複数の第１及び第２検査用トランジスタをオフ状態に固定するオフ電圧を、前記複数の第１及び第２検査用トランジスタの制御電極に供給するオフ電圧伝送配線を含み、前記オフ電圧伝送配線は、前記第１検査用制御信号供給配線に電気的に接続されていてもよい。
【００１９】
本発明に係る表示パネルでは、前記オフ電圧伝送配線及び前記第１検査用制御信号供給配線の接続点と、前記第１検査用制御信号供給配線及び前記第２検査用制御信号供給配線の分岐点とは、前記表示領域における行方向に対称の位置に配置されていてもよい。
【００２０】
本発明に係る表示パネルでは、前記オフ電圧伝送配線及び前記第１検査用制御信号供給配線の接続点と、前記第１検査用制御信号供給配線及び前記第２検査用制御信号供給配線の分岐点とは、同一の位置に配置されていてもよい。
【００２１】
本発明に係る表示パネルは、異形の外形形状を有する表示領域と、行方向に延在する複数のゲート線と、列方向に延在する複数のデータ線と、前記複数のゲート線に接続された複数の第１検査用トランジスタと、前記複数のデータ線に接続された複数の第２検査用トランジスタと、を含み、前記表示領域の異形の部分に対応する領域において、前記複数の第１及び第２検査用トランジスタのうち一方の複数の検査用トランジスタが他方の複数の検査用トランジスタよりも外側に配置されており、前記他方の複数の検査用トランジスタの少なくとも１つは、前記一方の複数の検査用トランジスタに接続された前記複数のゲート線又は前記複数のデータ線における隣り合う２本の配線の間に配置されている、ことを特徴とする。
【発明の効果】
【００２２】
本発明に係る表示パネルによれば、表示領域が異形の外形形状を有し、額縁領域に検査用トランジスタ及び検査用配線が配置された表示パネルにおいて、額縁領域の面積を縮小するとともに表示パネルの検査を確実に行うことができる。
【図面の簡単な説明】
【００２３】
【図１】本実施形態に係る液晶表示装置の概略構成を示す平面図である。
【図２】本実施形態に係る液晶表示装置の他の概略構成を示す平面図である。
【図３】本実施形態に係る液晶表示装置の他の概略構成を示す平面図である。
【図４】本実施形態に係る表示パネルの概略構成を示す等価回路図である。
【図５】表示パネルの詳細な構成を示す平面図である。
【図６】図５の一部を拡大した等価回路図である。
【図７】図５の一部を拡大した平面詳細図である。
【図８】表示パネルの他の構成を示す平面図である。
【図９】図８の一部を拡大した平面詳細図である。
【図１０】表示領域が縦長形状の場合の角部を拡大した等価回路図である。
【図１１】表示パネルの他の構成を示す平面図である。
【図１２】表示パネルの他の構成を示す平面図である。
【図１３】図５の表示パネルの変形例を示す平面図である。
【発明を実施するための形態】
【００２４】
本発明の一実施形態について、図面を用いて以下に説明する。本発明の実施形態では、表示装置として、液晶表示装置を例に挙げるが、本発明はこれに限定されず、例えば有機ＥＬ表示装置等であってもよい。
【００２５】
図１は、本実施形態に係る液晶表示装置の概略構成を示す平面図である。液晶表示装置１００は、表示パネル１０、データ線駆動回路３０、ゲート線駆動回路４０、及び、バックライト装置（図示せず）を含んで構成されている。データ線駆動回路３０は、複数のソースドライバＩＣで構成されてもよく、表示パネル１０の外部に設けられてもよい。ゲート線駆動回路４０は、複数のゲートドライバＩＣで構成されてもよく、表示パネル１０の外部に設けられてもよい。図示はしないが、表示パネル１０又は外部に、データ線駆動回路３０及びゲート線駆動回路４０の動作を制御するタイミングコントローラが設けられてもよい。
【００２６】
表示パネル１０は、領域で大別すると、画像を表示する表示領域１０ａと、表示領域１０ａの周囲の額縁領域とで構成される。表示領域１０ａは、四隅の角部のうち上側の２箇所が円弧状に形成されている。表示領域１０ａの外形形状は、図１の形状に限定されず、例えば、台形状、楕円状、円状、多角形状であってもよい。すなわち、表示領域１０ａの外形形状は、異形状に形成されている。また、表示パネル１０の外形形状は、表示領域１０ａの外形形状に対応して、異形状に形成されている。なお、本実施形態に係る液晶表示装置１００では、表示パネル１０及び表示領域１０ａの少なくとも何れか一方が、異形の外形形状を有していればよい。例えば、図２は、表示パネル１０が円弧状の２つの角部を有し、表示領域１０ａが楕円状に形成された液晶表示装置１００を示している。図３は、表示パネル１０が円弧状の４つの角部を有し、表示領域１０ａが矩形状に形成され液晶表示装置１００を示している。
【００２７】
図４は、表示パネル１０の概略構成を示す等価回路図である。表示パネル１０には、列方向に延在する複数のデータ線１１（ＤＬ１，ＤＬ２等）と、行方向に延在する複数のゲート線１２（ＧＬ１，ＧＬ２等）とが設けられている。各データ線１１と各ゲート線１２との各交差部には、薄膜トランジスタ１３（ＴＦＴ）が設けられている。各データ線１１はデータ線駆動回路３０に接続されている。各ゲート線１２はゲート線駆動回路４０に接続されている。
【００２８】
表示パネル１０には、各データ線１１と各ゲート線１２との各交差部に対応して、複数の画素１４がマトリクス状（行方向及び列方向）に配置されている。なお、図示はしないが、表示パネル１０は、薄膜トランジスタ基板（ＴＦＴ基板）と、カラーフィルタ基板（ＣＦ基板）と、両基板間に挟持された液晶層とを含んでいる。ＴＦＴ基板には、各画素１４に対応して、複数の画素電極１５が設けられている。ＣＦ基板には、各画素１４に共通する共通電極１６が設けられている。なお、共通電極１６はＴＦＴ基板に設けられてもよい。
【００２９】
各データ線１１には、データ線駆動回路３０からデータ信号（データ電圧）が供給される。各ゲート線１２には、ゲート線駆動回路４０らゲート信号（ゲートオン電圧、ゲートオフ電圧）が供給される。共通電極１６には、共通電極駆動回路（図示せず）から共通配線６０を介して共通電圧Ｖｃｏｍが供給される。ゲートオン電圧がゲート線１２に供給されると、ゲート線１２に接続された薄膜トランジスタ１３がオンし、薄膜トランジスタ１３に接続されたデータ線１１を介して、データ電圧が画素電極１５に供給される。画素電極１５に供給されたデータ電圧と、共通電極１６に供給された共通電圧Ｖｃｏｍとの差により電界が生じる。この電界により液晶を駆動してバックライトの光の透過率を制御することによって画像表示を行う。なお、カラー表示を行う場合は、ストライプ状のカラーフィルタで形成された赤色、緑色、青色に対応するそれぞれの画素１４の画素電極１５に接続されたそれぞれのデータ線１１に、所望のデータ電圧を供給することにより実現される。
【００３０】
液晶表示装置１００は、表示パネル１０における欠陥、例えばデータ線１１やゲート線１２等の配線の断線等を検出するための構成を備えている。以下、この構成の詳細について説明する。
【００３１】
図５は、表示パネル１０の詳細な構成を示す平面図である。図５では、便宜上、データ線駆動回路３０及びゲート線駆動回路４０を搭載する前の表示パネル１０の構成を示している。表示パネル１０の額縁領域１０ｂには、導通電極（ソース／ドレイン電極）の一方がゲート線１２に接続される複数の検査用トランジスタ１７（第１検査用トランジスタ）と、導通電極（ソース／ドレイン電極）の一方がデータ線１１に接続される複数の検査用トランジスタ１８（第２検査用トランジスタ）と、各検査用トランジスタ１７，１８のオン／オフを制御する検査用制御信号を制御電極（ゲート電極）に供給する検査用制御信号供給配線１９と、偶数行の検査用トランジスタ１７の導通電極の他方に検査用ゲート信号ＧＥ（ゲートオン電圧、ゲートオフ電圧）を供給する検査用ゲート信号供給配線２１と、奇数行の検査用トランジスタ１７の導通電極の他方に検査用ゲート信号ＧＯ（ゲートオン電圧、ゲートオフ電圧）を供給する検査用ゲート信号供給配線２２と、偶数列の検査用トランジスタ１８の導通電極の他方に検査用データ信号ＤＥを供給する検査用データ信号供給配線２３と、奇数列の検査用トランジスタ１８の導通電極の他方に検査用データ信号ＤＯを供給する検査用データ信号供給配線２４と、が設けられている。検査用トランジスタ１７は、表示領域１０ａの左側の短辺（左辺）に対応する領域では、短辺に沿って一直線に配列され、短辺から上側の長辺（上辺）に向かう円弧状の角部に対応する領域では、一直線に配列されず階段状に配列されている。検査用トランジスタ１７は、各ゲート線１２に対して１個ずつ接続されている。検査用トランジスタ１８は、表示領域１０ａの長辺に対応する領域では、長辺に沿って一直線に配列され、長辺から左右の短辺に向かう円弧状の２つの角部に対応する領域では、一直線に配列されず階段状に配列されている。検査用トランジスタ１８は、各データ線１１に対して１個ずつ接続されている。検査用トランジスタ１７，１８の配置の詳細は後述する。
【００３２】
短辺側に配置される検査用トランジスタは、長辺側に配置される検査用トランジスタよりも外側に配置されていることが好ましい。図５では、短辺側の検査用トランジスタ１７が、長辺側の検査用トランジスタ１８よりも外側に配置されている。また、表示パネル１０の額縁領域の周縁部（図５では、下辺右側）には、外部から表示パネル１０に、検査用トランジスタ１７，１８をオフするゲートオフ電圧Ｖｏｆｆを入力するための端子Ｖｏｆｆ（オフ電圧入力用端子）が設けられている。なお、ゲートオフ電圧Ｖｏｆｆは、表示パネル１０に搭載される共通電極駆動回路から出力されてもよい。
【００３３】
検査用制御信号供給配線１９は、一端が表示パネル１０の下辺左側に設けられた制御信号入力用パッドＴＲに接続されており、表示パネル１０の上辺の角部付近において二股に分岐している。具体的には、検査用制御信号供給配線１９は、制御信号入力用パッドＴＲから表示領域１０ａの外形形状に沿って、すなわち、左辺、左上側の円弧状の角部、上辺、及び、右上側の円弧状の角部に沿って延在する第１検査用制御信号供給配線１９ａと、第１検査用制御信号供給配線１９ａの途中（分岐点Ｓ１）で分岐し、分岐点Ｓ１で折り返して表示領域１０ａの外形形状に沿って、すなわち、左上側の円弧状の角部及び左辺に沿って延在する第２検査用制御信号供給配線１９ｂと、で構成されている。第１検査用制御信号供給配線１９ａは、複数のデータ線１１に接続された複数の検査用トランジスタ１８の制御電極に接続されている。第２検査用制御信号供給配線１９ｂは、複数のゲート線１２に接続された複数の検査用トランジスタ１７の制御電極に接続されている。第１検査用制御信号供給配線１９ａ及び第２検査用制御信号供給配線１９ｂは同一層に形成されている。
【００３４】
分岐点Ｓ１は、円弧状の角部の頂点（表示面の上側）、具体的には例えば直線状の上辺と円弧状の辺の接続点の近傍に位置していることが好ましい。また、分岐点Ｓ１は、図５に示すように、複数のゲート線１２のうち表示領域１０ａの最端部側に配置されるゲート線１２（第１ゲート線ＧＬ１）よりも外側（ここでは最も上辺側に配置されるゲート線１２よりも上側）に位置していることが好ましい。これにより、分岐点Ｓ１から引き出される第２検査用制御信号供給配線１９ｂが他の配線と接触することを防止することができる。また、分岐点Ｓ１は、図５に示すように、第１ゲート線ＧＬ１よりも外側（ここでは上側）に配置される複数の検査用トランジスタ１８のうち第１ゲート線ＧＬ１に最も近い検査用トランジスタ１８と、第１ゲート線ＧＬ１との間に位置していることが好ましい。これにより、第２検査用制御信号供給配線１９ｂの長さを最小限に抑えることができる。分岐点Ｓ１の位置は、上述した位置に限定されない。
【００３５】
検査用制御信号が外部から制御信号入力用パッドＴＲを介して検査用制御信号供給配線１９に供給されると、検査用トランジスタ１７，１８は一斉にオン又はオフする。
【００３６】
検査用ゲート信号供給配線２１は、表示パネル１０の下辺左側に設けられたゲート信号入力用パッドＧＥに接続され、検査用ゲート信号供給配線２２は、表示パネル１０の下辺左側に設けられたゲート信号入力用パッドＧＯに接続されている。検査用ゲート信号供給配線２１は、偶数列の複数の検査用トランジスタ１７を介して偶数列の複数のゲート線１２に電気的に接続されており、検査用ゲート信号供給配線２２は、奇数列の複数の検査用トランジスタ１７を介して奇数列の複数のゲート線１２に電気的に接続されている。検査用トランジスタ１７がオンし、検査用ゲート信号が外部からゲート信号入力用パッドＧＥを介して検査用ゲート信号供給配線２１に供給されると、検査用ゲート信号は、偶数列の検査用トランジスタ１７を介して偶数列の複数のゲート線１２に供給される。また、検査用トランジスタ１７がオンし、検査用ゲート信号が外部からゲート信号入力用パッドＧＯを介して検査用ゲート信号供給配線２２に供給されると、検査用ゲート信号は、奇数列の検査用トランジスタ１７を介して奇数列の複数のゲート線１２に供給される。
【００３７】
検査用データ信号供給配線２３は、表示パネル１０の下辺左側に設けられたデータ信号入力用パッドＤＥに接続され、検査用データ信号供給配線２４は、表示パネル１０の下辺左側に設けられたデータ信号入力用パッドＤＯに接続されている。検査用データ信号供給配線２３は、偶数列の複数の検査用トランジスタ１８を介して偶数列の複数のデータ線１１に電気的に接続され、検査用データ信号供給配線２４は、奇数列の複数の検査用トランジスタ１８を介して奇数列の複数のデータ線１１に電気的に接続されている。検査用トランジスタ１８がオンし、検査用データ信号が外部からデータ信号入力用パッドＤＥを介して検査用データ信号供給配線２３に供給されると、検査用データ信号は、偶数列の検査用トランジスタ１８を介して偶数列の複数のデータ線１１に供給される。また、検査用トランジスタ１８がオンし、検査用データ信号が外部からデータ信号入力用パッドＤＯを介して検査用データ信号供給配線２４に供給されると、検査用データ信号は、奇数列の検査用トランジスタ１８を介して奇数列の複数のデータ線１１に供給される。
【００３８】
上記各パッドは、検査用信号入力パッド２５に含まれ、検査用信号入力パッド２５は、表示パネル１０の周縁部（図５では、下辺左側）に配置されている。検査用信号入力パッド２５の位置及び数量は限定されない。また、検査用信号入力パッド２５には、各種の検査用信号を生成して出力する検査用機器（図示せず）が接続される。
【００３９】
図６は、図５の左上側の角部を拡大した等価回路図である。図６では、便宜上、検査用制御信号供給配線１９を省略している。図６に示すように、複数の検査用トランジスタ１７は、４個ずつグループに束ねられており、各グループ内において、４個の検査用トランジスタ１７は、列方向に一列に配置されている。また、検査用トランジスタ１７の複数のグループは、表示領域１０ａの円弧状の角部に対応する領域において斜め方向に配列されている。複数の検査用トランジスタ１８は、６個ずつグループに束ねられており、各グループ内において、６個の検査用トランジスタ１８は、行方向に一列に配置されている。また、検査用トランジスタ１８の複数のグループは、表示領域１０ａの円弧状の角部に対応する領域において斜め方向に配列されている。検査用トランジスタ１７の１つのグループに対応する４本のゲート線１２は、検査用トランジスタ１８の列方向に隣り合う２つのグループの間の領域を通過するように配置される。また、検査用トランジスタ１８の１つのグループは、検査用トランジスタ１７の列方向に隣り合う２つのグループの間の領域に配置される。検査用トランジスタ１７のグループと、検査用トランジスタ１８のグループは、列方向に交互に配置されている。各グループに含まれる検査用トランジスタの数量は限定されない。
【００４０】
図７は、図５の左上側の角部を拡大した平面詳細図である。図７に示す構成は、検査用トランジスタ１７，１８の配置が図６に示す構成とは異なっている。図７に示す構成では、検査用トランジスタ１８の１つのグループ（図７では８個の検査用トランジスタ１８）が、列方向に隣り合う２つの検査用トランジスタ１７に接続される２本のゲート線１２の間の領域に配置されている。また、検査用トランジスタ１７の列方向に隣り合う２つのグループそれぞれに対応する複数のゲート線１２（図７のゲート線１２ａ〜１２ｆ）が、検査用トランジスタ１８の列方向に隣り合う２つのグループの間の領域に配置されている。
【００４１】
ここで、データ線及びゲート線のうち、短辺側に配置される検査用トランジスタに接続される配線は、長辺側に配置される検査用トランジスタに接続される配線よりも長くなる。この場合、トランジスタのサイズ（チャネル幅）は、当該トランジスタに接続される配線の長さが長い程大きくなる。そして、トランジスタのサイズが大きくなると、配線同士が干渉し易くなる。そこで、本実施形態では、短辺側に配置される検査用トランジスタが、長辺側に配置される検査用トランジスタよりも外側に配置されていることが好ましい。
【００４２】
具体的には、図５に示す構成では、短辺側に配置される検査用トランジスタ１７に接続されるゲート線１２は、長辺側に配置される検査用トランジスタ１８に接続されるデータ線１１よりも長くなる。この場合、図７に示すように、検査用トランジスタ１７のサイズ（チャネル幅）が、検査用トランジスタ１８のサイズ（チャネル幅）よりも大きくなる。そこで、短辺側の検査用トランジスタ１７は、長辺側の検査用トランジスタ１８よりも外側に配置されていることが好ましい。また、図５の構成では、第２検査用制御信号供給配線１９ｂは、第１検査用制御信号供給配線１９ａよりも外側に配置されていることが好ましい。
【００４３】
図８は、表示パネル１０の他の構成を示す平面図である。図８に示す構成では、表示領域１０ａが縦長形状であり、検査用トランジスタ１７が長辺側に配置され、検査用トランジスタ１８が短辺側に配置されている。このため、短辺側に配置される検査用トランジスタ１８に接続されるデータ線１１が、長辺側に配置される検査用トランジスタ１７に接続されるゲート線１２よりも長くなる。この場合、図９に示すように、検査用トランジスタ１８のサイズ（チャネル幅）が、検査用トランジスタ１７のサイズ（チャネル幅）よりも大きくなる。そこで、短辺側の検査用トランジスタ１８は、長辺側の検査用トランジスタ１７よりも外側に配置されていることが好ましい。また、図８の構成では、第１検査用制御信号供給配線１９ａは、第２検査用制御信号供給配線１９ｂよりも外側に配置されていることが好ましい。
【００４４】
また、図９に示す構成では、検査用トランジスタ１７の１つのグループ（図９では８個の検査用トランジスタ１７）が、行方向に隣り合う２つの検査用トランジスタ１８に接続される２本のデータ線１１の間の領域に配置されている。また、検査用トランジスタ１８の行方向に隣り合う２つのグループそれぞれに対応する複数のデータ線１１（図９のゲート線１１ａ〜１１ｆ）が、検査用トランジスタ１７の行方向に隣り合う２つのグループの間の領域に配置されている。
【００４５】
図１０は、表示領域１０ａが縦長形状の場合の角部を拡大した等価回路図である。図１０に示すように、複数の検査用トランジスタ１７は、６個ずつグループに束ねられており、各グループ内において、６個の検査用トランジスタ１７は、列方向に一列に配置されている。また、検査用トランジスタ１７の複数のグループは、表示領域１０ａの円弧状の角部に対応する領域において斜め方向に配列されている。複数の検査用トランジスタ１８は、４個ずつグループに束ねられており、各グループ内において、４個の検査用トランジスタ１８は、行方向に一列に配置されている。また、検査用トランジスタ１８の複数のグループは、表示領域１０ａの円弧状の角部に対応する領域において斜め方向に配列されている。検査用トランジスタ１８の１つのグループに対応する４本のデータ線１１は、検査用トランジスタ１７の行方向に隣り合う２つのグループの間の領域を通過するように配置される。また、検査用トランジスタ１７の１つのグループは、検査用トランジスタ１８の行方向に隣り合う２つのグループの間の領域に配置される。検査用トランジスタ１７のグループと、検査用トランジスタ１８のグループは、行方向に交互に配置されている。各グループに含まれる検査用トランジスタの数量は限定されない。
【００４６】
本実施形態に係る表示パネル１０によれば、検査用トランジスタ１７，１８及び各種検査用配線が表示領域の外形形状に対応して配置されており、また検査用制御信号供給配線１９が分岐して配置されているため、額縁領域の面積を最小限に抑えることができる。また検査用トランジスタ１７，１８及び各種検査用配線を効率的に配置することができるため、配線同士の接触を防止することができ、表示パネルの検査を確実に行うことができる。
【００４７】
表示パネル１０の検査を行う場合には、例えば、表示パネル１０の製造工程に含まれる検査工程において、検査用機器を検査用信号入力パッド２５に接続し、各検査用信号を、検査用信号入力パッド２５を介して各検査用信号供給配線に供給する。具体的には、検査用機器は、検査用トランジスタ１７，１８のオン及びオフを制御する検査用制御信号を検査用制御信号供給配線１９に供給し、検査用ゲート信号ＧＥを検査用ゲート信号供給配線２１に供給し、検査用ゲート信号ＧＯを検査用ゲート信号供給配線２２に供給し、検査用データ信号ＤＥを検査用データ信号供給配線２３に供給し、検査用データ信号ＤＯを検査用データ信号供給配線２４に供給する。
【００４８】
上記検査工程が終了すると、検査用機器は検査用信号入力パッド２５から切り離される。ここで表示パネル１０から検査用機器が切り離されると、検査用トランジスタ１７，１８は、電気的にフローティングの状態になる。このため、通常の使用時（表示動作中）に、例えば表示動作に起因して検査用トランジスタ１７，１８がオン状態になり、画素電位が変動して表示の不具合を引き起こすおそれがある。このような表示の不具合を防止するためには、表示動作中において、フローティング状態の検査用トランジスタ１７，１８を確実にオフ状態に固定することが必要である。この点、本実施形態における液晶表示装置１００は、通常の使用時（表示動作中）に検査用トランジスタ１７，１８をオフ状態に確実に固定する構成を有している。
【００４９】
具体的には、表示パネル１０には、検査用トランジスタ１７，１８をオフする制御信号（ゲートオフ電圧）を供給するゲートオフ電圧伝送配線２０（オフ電圧伝送配線）が設けられている。ゲートオフ電圧伝送配線２０は、一端が表示パネル１０の周縁部（図５では、下辺右側）に設けられた端子Ｖｏｆｆに電気的に接続され、他端が検査用制御信号供給配線１９（例えば、第１検査用制御信号供給配線１９ａ）に電気的に接続されている。図５に示すように、ゲートオフ電圧伝送配線２０は、表示パネル１０の最外縁側に沿って配置されている。また、ゲートオフ電圧伝送配線２０と第１検査用制御信号供給配線１９ａとの接続点Ｔ１と、分岐点Ｓ１とは、表示領域１０ａにおける行方向に対称（左右対称）の位置に配置されている。なお、接続点Ｔ１の位置は、これに限定されないが、第１ゲート線ＧＬ１よりも上側に位置していることが好ましい。
【００５０】
端子Ｖｏｆｆには、表示動作中に常時、ゲートオフ電圧が印加される。これにより、表示パネル１０にゲートオフ電圧を常時供給することができるため、表示動作を行っている期間は、検査用トランジスタ１７，１８をオフ状態に固定することができる。よって、表示動作中に検査用トランジスタ１７，１８がオンすることにより表示の不具合が生じることを防止することができる。
【００５１】
次に、液晶表示装置１００における検査方法の一例について簡単に説明する。先ず、表示パネル１０の検査用信号入力パッド２５に検査用機器を接続する。次に、検査用機器から、制御信号入力用パッドＴＲを介して検査用制御信号供給配線１９に、検査用制御信号（ゲートオン電圧）が入力される。これにより、検査用トランジスタ１７，１８がオン状態になる。次に、検査用機器から、奇数列の検査用トランジスタ１７の導通電極にゲートオン電圧の検査用ゲート信号ＧＯが入力される。これにより、奇数列のゲート線１２が選択される。次に、検査用機器から、奇数列のゲート線１２に接続された各薄膜トランジスタ１３を介して、対応する画素電極１５に、検査用データ信号ＤＯが供給される。共通電極１６には共通電圧Ｖｃｏｍが供給される。これにより、対応する画素１４、ここでは奇数列及び奇数行に位置する画素１４の表示状態を検査することにより、対応するゲート線やデータ線等の配線の欠陥を検出することができる。
【００５２】
続いて、検査用機器から、奇数列の検査用トランジスタ１７の導通電極にゲートオフ電圧の検査用ゲート信号ＧＯが入力されるとともに、偶数列の検査用トランジスタ１７の導通電極にゲートオン電圧の検査用ゲート信号ＧＥが入力される。これにより、奇数列のゲート線１２が非選択となり、偶数列のゲート線１２が選択される。次に、検査用機器から、偶数列のゲート線１２に接続された各薄膜トランジスタ１３を介して、対応する画素電極１５に、検査用データ信号ＤＥが供給される。共通電極１６には共通電圧Ｖｃｏｍが供給される。これにより、対応する画素１４、ここでは偶数列及び偶数行に位置する画素１４の表示状態を検査することにより、対応するゲート線やデータ線等の配線の欠陥を検出することができる。検査工程が終了すると、表示パネル１０の検査用信号入力パッド２５から検査用機器を切り離す。
【００５３】
このようにして、検査工程において、表示パネル１０の検査が行われる。表示パネル１０の検査方法は、上記の方法に限定されず、周知の方法を採用することができる。
【００５４】
表示領域１０ａの形状、検査用トランジスタ１７，１８及び各種配線の配置は、上記の構成に限定されない、図１１は、表示領域１０ａの上辺全体が円弧状（半円状）に形成された表示パネル１０の構成を示す平面図である。図１１の構成では、検査用制御信号供給配線１９の分岐点Ｓ１と、ゲートオフ電圧伝送配線２０と検査用制御信号供給配線１９との接続点Ｔ１とが同一の位置、ここでは、表示領域１０ａの行方向（左右方向）の中心線上に配置されている。
【００５５】
図１２は、表示領域１０ａが円状に形成された表示パネル１０の構成を示す平面図である。図１２の構成では、図１１の構成と同様に、検査用制御信号供給配線１９の分岐点Ｓ１と、ゲートオフ電圧伝送配線２０と検査用制御信号供給配線１９との接続点Ｔ１とが同一の位置に配置されている。
【００５６】
図１３は、図５に示す表示パネル１０の変形例である。図１３の構成では、検査用制御信号供給配線１９の分岐点Ｓ１は、表示領域１０ａの短辺（左辺）の下側に位置している。具体的には、第２検査用制御信号供給配線１９ｂは、第１検査用制御信号供給配線１９ａの分岐点Ｓ１から表示領域１０ａの左辺及び左上側の円弧状の角部に沿って配置されており、複数のゲート線１２に接続された複数の検査用トランジスタ１７の制御電極に接続されている。
【００５７】
上述した検査用トランジスタ１７，１８及び各種配線の配置の各構成は、図３等に示す、異形の外形形状を有する表示パネル１０にも適用することができる。
【００５８】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００５９】
１００  液晶表示装置、１０  表示パネル、１１  データ線、１２  ゲート線、１３  薄膜トランジスタ、１４  画素、１５  画素電極、１６  共通電極、１７，１８  検査用トランジスタ、１９  検査用制御信号供給配線、１９ａ  第１検査用制御信号供給配線、１９ｂ  第２検査用制御信号供給配線、２０  ゲートオフ電圧伝送配線、２１，２２  検査用ゲート信号供給配線、２３，２４  検査用データ信号供給配線、２５  検査用信号入力パッド、３０  データ線駆動回路、４０  ゲート線駆動回路、６０  共通配線、ＴＲ  制御信号入力用パッド、ＧＥ，ＧＯ  ゲート信号入力用パッド、ＤＥ，ＤＯ  データ信号入力用パッド、Ｖｏｆｆ  オフ電圧入力用端子、Ｓ１  分岐点、Ｔ１  接続点。
【図１】
2016218216.tif 000003
【図２】
2016218216.tif 000004
【図３】
2016218216.tif 000005
【図４】
2016218216.tif 000006
【図５】
2016218216.tif 000007
【図６】
2016218216.tif 000008
【図７】
2016218216.tif 000009
【図８】
2016218216.tif 000010
【図９】
2016218216.tif 000011
【図１０】
2016218216.tif 000012
【図１１】
2016218216.tif 000013
【図１２】
2016218216.tif 000014
【図１３】
2016218216.tif 000015